(57)【特許請求の範囲】
【請求項１】
クラスタユーザに基づいたメッセージ送信方法であって、
無線アクセス装置はユーザ装置からのリクエストメッセージを受信し、前記ユーザ装置に対し接続リソースを割り当てて、かつ前記リクエストメッセージに前記ユーザ装置がクラスタユーザであるか否かについての情報が含まれ、
前記ユーザ装置がクラスタユーザである場合に、設定時間以内にデータ受送信されないと、前記無線アクセス装置よりトリガーされて前記ユーザ装置がCELL_PCH状態になり、
前記ユーザ装置がクラスタユーザではない場合に、設定時間以内にデータ受送信されないと、前記無線アクセス装置より前記ユーザ装置の接続リソースが解放され、
前記リクエストメッセージは、無線リソース制御RRC接続リクエストメッセージと、セル更新リクエストメッセージを含む、
手段を含むことを特徴とするメッセージ送信方法。
【請求項２】
前記クラスタユーザに関する情報が第一の識別子である場合、前記無線アクセス装置は前記ユーザ装置がクラスタユーザであることを認定し、
前記クラスタユーザに関する情報が第二の識別子である場合、前記無線アクセス装置は前記ユーザ装置がクラスタユーザでないことを認定する、
手段をさらに含むことを特徴とする請求項１に記載のメッセージ送信方法。
【請求項３】
クラスタユーザに基づいたメッセージ送信方法であって、
ユーザ装置は自身がクラスタユーザであるか否かを確認し、
前記ユーザ装置は、自身がクラスタユーザであるか否かについての情報を含んだリクエストメッセージを無線アクセス装置に送信する手段を含み、
前記リクエストメッセージは、無線リソース制御RRC接続リクエストメッセージと、セル更新リクエストメッセージを含む、
ことを特徴とするメッセージ送信方法。
【請求項４】
前記クラスタユーザに関する情報が第一の識別子である場合、前記ユーザ装置はクラスタユーザであることを示し、
前記クラスタユーザに関する情報が第二の識別子である場合、前記ユーザ装置はクラスタユーザではないことを示す、
ことを特徴とする請求項3に記載のメッセージ送信方法。
【請求項５】
無線アクセス装置において、
ユーザ装置からの、前記ユーザ装置がクラスタユーザであるか否かについての情報を含むリクエストメッセージを受信する受信モジュールと、
前記ユーザ装置に対し接続リソースを割り当てる割り当てモジュールと、
前記ユーザ装置がクラスタユーザである場合に、設定時間以内にデータ受送信されない時、前記ユーザ装置をCELL_PCH状態になるようトリガーし、前記ユーザ装置がクラスタユーザではない場合に、設定時間以内にデータ受送信されない時、前記ユーザ装置の接続リソースを解放するように処理する処理モジュールと、
を備え、
前記リクエストメッセージは、無線リソース制御RRC接続リクエストメッセージと、セル更新リクエストメッセージを含むことを特徴とする無線アクセス装置。
【請求項６】
前記処理モジュールは、前記クラスタユーザに関する情報が第一の識別子である場合、前記ユーザ装置はクラスタユーザであることを認定し、前記クラスタユーザに関する情報が第二の識別子である場合、前記ユーザ装置はクラスタユーザではないことを認定する、
ことを特徴とする請求項5に記載の無線アクセス装置。
【請求項７】
ユーザ装置において、
自身がクラスタユーザであるか否かを認定する認定モジュールと、
自身がクラスタユーザであるか否かについての情報を含んだリクエストメッセージを無線アクセス装置に送信する送信モジュールと、
を備え、
前記リクエストメッセージは、無線リソース制御RRC接続リクエストメッセージと、セル更新リクエストメッセージを含むことを特徴とするユーザ装置。
【請求項８】
前記クラスタユーザに関する情報が第一の識別子である場合、前記ユーザ装置はクラスタユーザであることを示し、
前記クラスタユーザに関する情報が第二の識別子である場合、前記ユーザ装置はクラスタユーザではないことを示す、
ことを特徴とする請求項7に記載のユーザ装置。
【発明の詳細な説明】
【技術分野】
【０００１】
本発明は、通信技術分野、特にクラスタユーザに基づいたメッセージ送信方法とデバイスに関する。
【背景技術】
【０００２】
ユーザ装置（User Equipment、UE）は登録、呼出しを行う際に、まずネットワーク側に無線リソース制御（Radio Resource Control、RRC）接続を確立し、その後に無線アクセスベアラ（Radio Access Bear、RAB）を確立する。なお、UEはRRC接続を確立した後、セル更新を行う可能性があるので、よってUEはネットワーク側にセル更新プロセスを行う必要がある。
【０００３】
本発明のプロセスを実現する際に、本発明者らは従来技術に少なくともRRC接続プロセス及びセル更新プロセスにて、ネットワーク側がUEはクラスタユーザであるか否かを認定することができず、関連処理ができなくなるという問題を発見した。
【発明の概要】
【発明が解決しようとする課題】
【０００４】
本発明の実施例の目的は、無線アクセス装置がUEはクラスタユーザであるか否かを認定することができる、クラスタユーザに基づいたメッセージ送信方法とデバイスを提供することである。
【課題を解決するための手段】
【０００５】
上記目的を達成するために、本発明の実施例は、
無線アクセス装置はユーザ装置からのリクエストメッセージを受信し、前記ユーザ装置に対し接続リソースを割り当てて、かつ前記リクエストメッセージに前記ユーザ装置はクラスタユーザであるか否かという情報を含む；前記ユーザ装置がクラスタユーザである場合に、設定時間以内にデータ受送信されない時、前記無線アクセス装置よりトリガーされて前記ユーザ装置はCELL_PCH状態になされ、前記ユーザ装置はクラスタユーザではない場合に、設定時間以内にデータ受送信されない時、前記無線アクセス装置より前記ユーザ装置の接続リソースが解放されることを含む、クラスタユーザに基づいたメッセージ送信方法を提供する。
【０００６】
または、本発明の実施例は、
ユーザ装置は自身がクラスタユーザであるか否かを確認し、
前記ユーザ装置は、自身がクラスタユーザであるか否かについての情報を含んだリクエストメッセージを無線アクセス装置に送信することを含む、
クラスタユーザに基づいたメッセージ送信方法を提供する。
【０００７】
または、本発明の実施例は、
ユーザ装置からの、前記ユーザ装置がクラスタユーザであるか否かの情報を含むリクエストメッセージを受信する受信モジュールと、前記ユーザ装置に対し接続リソースを割り当てる割り当てモジュールと、前記ユーザ装置がクラスタユーザである場合に、設定時間以内にデータ受送信されない時、前記ユーザ装置をCELL_PCH状態になるようトリガーし、前記ユーザ装置はクラスタユーザではない場合に、設定時間以内にデータ受送信されない時、前記ユーザ装置の接続リソースを解放するように処理する処理モジュールと、を備える無線アクセス装置を提供する。
【０００８】
または、本発明の実施例は、
自身はクラスタユーザであるか否かを認定する認定モジュールと、
自身はクラスタユーザであるか否かについての情報を含んだリクエストメッセージを無線アクセス装置に送信する送信モジュールと、を備えるユーザ装置を提供する。
従来技術と比較すると、本発明の実施例には、少なくとも以下のようなメリットがある。
【０００９】
即ち、本発明の実施例にて、無線アクセス装置がUEのクラスタID（すなわちUEがクラスタユーザであるかどうか分かる）を認定できるから、UEのクラスタIDに基づいて無線リソースの割り当ておよびユーザ管理手段の計画をすることができる。
【図面の簡単な説明】
【００１０】
【図１】図１は本発明の実施例一に係るクラスタユーザに基づいたメッセージ送信方法のフローチャートである。
【図２】図２は本発明の実施例の応用場面の模式図である。
【図３】図３は本発明の実施例二に係るクラスタユーザに基づいたメッセージ送信方法のフローチャートである。
【図４】図４は本発明の実施例三に係るクラスタユーザに基づいたメッセージ送信方法のフローチャートである。
【図５】図５は本発明の実施例四に係る無線アクセス装置の構成概略図である。
【図６】図６は本発明の実施例五に係るユーザ装置の構成概略図である。
【発明を実施するための形態】
【００１１】
本発明の技術案をより明瞭に説明するために、以下は実施例と図面を用いて簡単に説明する。なお、以下のように説明する図面はただ本発明の実施例に過ぎなく、創造力を働かせなくとも下記図面に基づいてその他の図面を得るのは、当業者にとって明らかである。
【００１２】
以下、添付図面を参照して、本発明の技術案を明確に完全に記述する。なお、記述される実施例はただ本発明の一部の実施例に過ぎないことであり、全ての実施例を示すものではない。創造力を働かせなくとも本発明の実施例によって得られるその他の実施例が全て本願の範囲に属するのは、当業者にとって明らかである。
【００１３】
＜実施例一＞
公衆通信システムと比較すると、クラスタ通信システムは特別な要求がある（例えばより少ない呼出遅延、一つの送信でマルチ受信等）、クラスタ通信システムの特徴に対し、通信システムを適合するように調整してもよい。また、上記プロセスを実現するために、ネットワーク側デバイス（例えば無線アクセス装置）よりUEはクラスタユーザであるか否かを認定できることが前提となる。従来技術ではUEがクラスタユーザであるか否かを認定できないという問題に対して、本発明の実施例一は、UEがクラスタユーザであるかどうかを認定でき、その上でUEのクラスタIDに基づいて無線リソースの割り当ておよびユーザ管理手段を計画するように、クラスタユーザに基づいたメッセージ送信方法を提供する。
【００１４】
図１に示すように、当該方法は以下のステップを含む。
ステップ101において、ユーザ装置は自身がクラスタユーザであるか否かを確認する。
ステップ102において、UEは、自身がクラスタユーザであるか否かについての情報を含んだリクエストメッセージを無線アクセス装置に送信する。
【００１５】
本発明の実施例では、当該リクエストメッセージは、RRC接続リクエストメッセージとセル更新リクエストメッセージを含んでいるが、これだけに限定するものではない。
【００１６】
具体的には、RRC接続プロセスにおいて、UEから無線アクセス装置に送信するRRC接続リクエストメッセージには確立原因等の情報が含まれているが、当該確立原因等の情報は無線アクセス装置にUEが確立するサービス種類（例えば呼出或は受信、音声サービス、データサービス、SMS、登録、電源オフ等の情報）を示すことが可能であり、よって、無線アクセス装置が確立原因に基づいてUEに対し適切な無線リソースを割り当てる。これに基づいて、本発明の実施例にて、UEから無線アクセス装置に送信するRRC接続リクエストメッセージにおいてさらにUE自身がクラスタユーザであるか否かについての情報を含むようにする。
【００１７】
UEがRRC接続を確立した後、無線状況の変化等の原因（例えば無線リンク接続失敗、セル再選等）で、セル更新は発生される可能性がある。セル更新プロセスにおいて、UEから無線アクセス装置に送信するセル更新リクエストメッセージにはセル更新原因等の情報が含まれていて、無線アクセス装置がセル更新原因等の情報により、再びUEに対し適切な無線リソースを割り当てる。これに基づいて、本発明の実施例にて、UEから無線アクセス装置に送信するRRC接続リクエストメッセージにおいてさらにUE自身はクラスタユーザであるか否かについての情報を含むようにする。
【００１８】
本発明の実施例において、UE自身がクラスタユーザであるか否かについての情報を識別子により表現することができる。具体的には、クラスタユーザに関する情報が第一の識別子（例えば0）である場合、UEはクラスタユーザであることを示すが、クラスタユーザに関する情報が第二の識別子（例えば1）である場合、UEはクラスタユーザではないことを示す。
【００１９】
ステップ103において、無線アクセス装置がUEからのリクエストメッセージを受信して、UEに対し接続リソースを割り当てる。UEからのRRC接続リクエストメッセージ或いはセル更新リクエストメッセージを受信した後、無線アクセス装置がUEに対し接続リソースを割り当てることが必要になる。
【００２０】
注意すべきことは、UEからのRRC接続リクエストメッセージを受信した後、無線アクセス装置とUEがRRC接続プロセスに係るその他のステップを実行するが、本発明の実施例ではこれらについての説明を省略する。UEからのセル更新リクエストメッセージを受信した後、無線アクセス装置とUEがセル更新プロセスに係るその他のステップを実行するが、本発明の実施例ではこれらについての説明を省略する。
【００２１】
ステップ104において、UEに対し接続リソースを割り当てた後、UEが設定時間以内にデータ受送信されないと、無線アクセス装置より当該UEはクラスタユーザであるか否かを判断する。UEがクラスタユーザである場合、ステップ105を実行する。UEがクラスタユーザではない場合、ステップ106を実行する。
【００２２】
具体的には、リクエストメッセージにおいてUEがクラスタユーザであるか否かについての情報を含むため、クラスタユーザに関する情報が第一の識別子である場合、無線アクセス装置がUEはクラスタユーザであることを認定することができ、ステップ105を実行する。一方、クラスタユーザに関する情報が第二の識別子である場合、無線アクセス装置がUEはクラスタユーザではないことを認定することができ、ステップ106を実行する。
【００２３】
本発明の実施例において、UEに対し接続リソースを割り当てた後、無線アクセス装置がUEの信号とデータ流量等の情報をリアルタイムに監視し、設定時間（実際の経験によって選定することができる）以内に、UEの信号とデータ流量が全て0である場合、UEが設定時間以内にデータ受送信されないことを証明することができる。
【００２４】
ステップ105において、無線アクセス装置がUEをトリガーして、UEはセルページングチャネル（CELL_Paging Channel、CELL_PCH）状態になる。
【００２５】
注意すべきことは、UEはCELL_PCH状態になると、いつまでもオンラインに保持されることになる。即ち、UEにデータ転送を再開する場合、素早く無線接続を確立しデータ通信を再開することができる。
【００２６】
具体的には、CELL_PCH状態の基本的な特徴は、UEとネットワーク側との間に専用物理チャンネル接続が存在しないことである。当該状態にて、省エネのために、UEが間欠受信（Discontinuous Reception、DRX）方法を利用してページングインジケーターチャンネル（Paging Indicator Channel、PICH）により指示されたページングチャネル（Paging Channel、PCH）を監視することができる。ネットワーク側が前回にUEはCELL_FACH 状態で実行した最後のセル更新プロセスに基づいて、現在UEの所属するセルが判る。UEはアップリンクデータ（ページング返信或いはコール等）を送信する必要がある場合、先にCELL_PCH状態からCELL_FACH状態に遷移する必要がある。ステップ106において、無線アクセス装置がUEの接続リソースを解放する。
【００２７】
注意すべきことは、UEの接続リソースを解放した後、UEにデータ転送を再開する場合、新たにRRC接続を確立する必要がある。
【００２８】
以上のように、本発明の実施例において、無線アクセス装置がRRC接続リクエストメッセージ或いはセル更新リクエストメッセージからUEのクラスタID（すなわちUEがクラスタユーザであるかどうか分かる）を認定できるから、UEのクラスタIDに基づいて無線リソースの割り当ておよびユーザ管理手段の計画をすることができる。
【００２９】
以下は、図2に示す応用場面を利用して本発明の実施例をさらに説明する。
図2に示すように、無線アクセス装置は無線アクセス装置の無線受送信手段である基地局と、無線アクセス装置のリソース管理手段である無線ネットワークコントローラ（Radio Network Controller、RNC）により構成され、且つ無線アクセス装置は複数のセルを制御できる。UEはセルにおける無線リソースを経由してネットワーク側に接続する。無線アクセス装置において、リソース管理手段はセルにおける無線リソースを制御するように用いられ、UEに対しリソースを割り当てて、UEを拒絶すれば無線インターフェースメッセージを利用してUEに通知し接続を解放すること等を行う。無線受送信手段はリソース管理手段のデータを受信し処理してUEに転送し、UEからのデータを受信し処理してリソース管理手段に転送するように用いる。なお、リソース管理手段はIuインターフェース（コアネットワークとRNCとの間に信号交換する）を経由してコアネットワーク（Core Network、CN）からのデータを受信し、及びUEからのデータをCNに送信することができる。
【００３０】
＜実施例二＞
上記応用場面に基づいて、RRC接続プロセスを例として、本発明の実施例二はクラスタユーザに基づいたメッセージ送信方法を提供する。図３に示すように、当該方法は以下のステップを含む。
【００３１】
ステップ301において、UEは無線アクセス装置にRRC接続リクエストメッセージを送信し、当該RRC接続リクエストメッセージにUEのクラスタユーザフラグ（UEはクラスタユーザであるか否かことを認識されるように用いる）を含む。
【００３２】
ステップ302において、無線アクセス装置の無線受送信手段はRRC接続リクエストメッセージを受信した後、RRC接続リクエストメッセージを無線アクセス装置のリソース管理手段に転送する。
【００３３】
ステップ303において、無線アクセス装置のリソース管理手段はRRC接続リクエストメッセージを受信した後、UEはクラスタユーザであるか否かを認定する。UEはクラスタユーザである場合、ステップ304を実行する。UEがクラスタユーザではない場合、ステップ305を実行する。
【００３４】
注意すべきことは、UEからのRRC接続リクエストメッセージを受信した後、無線アクセス装置（リソース管理手段および無線受送信手段）がRRC接続プロセスに係るその他のステップを実行するが、本発明の実施例ではこれらについての説明を省略する。
【００３５】
ステップ304において、無線アクセス装置のリソース管理手段がUEに対し接続リソースを割り当てた後、UEの信号とデータ流量等の情報をリアルタイムに監視し、設定時間以内に、UEの信号とデータ流量は全て0である場合、UEをトリガーしてCELL_PCH状態になされるようにし、UEはずっとオンラインに保持される。UEにデータ転送を再開する場合、素早く無線接続を確立しデータ通信を再開することができる。
【００３６】
ステップ305において、無線アクセス装置のリソース管理手段がUEに対し接続リソースを割り当てた後、UEの信号とデータ流量等の情報をリアルタイムに監視し、設定時間以内に、UEの信号とデータ流量が全て0である場合、UEの接続リソースを解放する。UEにデータ転送を再開する場合、新たにRRC接続を確立する必要がある。
【００３７】
以上のように、本発明の実施例において、無線アクセス装置がRRC接続リクエストメッセージからUEのクラスタID（すなわちUEがクラスタユーザであるかどうかを分かる）を認定できるから、UEのクラスタIDに基づいて無線リソースの割り当ておよびユーザ管理手段の計画をすることができる。
【００３８】
＜実施例三＞
上記応用場面に基づいて、セル更新プロセスを例として、本発明の実施例三はクラスタユーザに基づいたメッセージ送信方法を提供する。図４に示すように、当該方法は以下のステップを含む。
【００３９】
ステップ401において、UEは無線アクセス装置にセル更新リクエストメッセージを送信し、当該セル更新リクエストメッセージにUEのクラスタユーザフラグ（UEがクラスタユーザであるか否かを認識されるように用いる）を含む。
具体的には、無線状況の変化等の原因で、セル更新が発生させられて、即ち無線アクセス装置にセル更新リクエストメッセージが送信される。
【００４０】
ステップ402において、無線アクセス装置の無線受送信手段はセル更新リクエストメッセージを受信した後、セル更新リクエストメッセージを無線アクセス装置のリソース管理手段に転送する。
【００４１】
ステップ403において、無線アクセス装置のリソース管理手段はセル更新リクエストメッセージを受信した後、UEがクラスタユーザであるか否かを認定する。UEがクラスタユーザである場合、ステップ404を実行する。UEがクラスタユーザではない場合、ステップ405を実行する。
【００４２】
注意すべきことは、UEからのセル更新リクエストメッセージを受信した後、無線アクセス装置（リソース管理手段および無線受送信手段）がセル更新プロセスに係るその他のステップを実行するが、本発明の実施例ではこれらについての説明を省略する。
【００４３】
ステップ404において、無線アクセス装置のリソース管理手段がUEに対し接続リソースを割り当てた後、UEの信号とデータ流量等の情報をリアルタイムに監視し、設定時間以内に、UEの信号とデータ流量が全て0である場合、UEをトリガーしてCELL_PCH状態になされるようにして、UEはいつまでもオンラインに保持される。UEにデータ転送を再開する場合、素早く無線接続を確立しデータ通信を再開することができる。
【００４４】
ステップ405において、無線アクセス装置のリソース管理手段がUEに対し接続リソースを割り当てた後、UEの信号とデータ流量等の情報をリアルタイムに監視し、設定時間以内に、UEの信号とデータ流量が全て0である場合、UEの接続リソースを解放する。UEにデータ転送を再開する場合、新たにRRC接続を確立する必要がある。
【００４５】
以上のように、本発明の実施例では、無線アクセス装置がセル更新リクエストメッセージからUEのクラスタID（すなわちUEがクラスタユーザであるかどうか分かる）を認定できるから、UEのクラスタIDに基づいて無線リソースの割り当ておよびユーザ管理手段の計画をすることができる。
【００４６】
＜実施例四＞
上記方法と同じ発想に従って、本発明の実施例はさらに無線アクセス装置を提供している。図５に示すように、当該無線アクセス装置は、
ユーザ装置からの、前記ユーザ装置がクラスタユーザであるか否かの情報を含むリクエストメッセージを受信する受信モジュール11と、
前記ユーザ装置に対し接続リソースを割り当てる割り当てモジュール12と、
前記ユーザ装置がクラスタユーザである場合に、設定時間以内にデータ受送信されないと、前記ユーザ装置をCELL_PCH状態になされるようトリガーし、前記ユーザ装置がクラスタユーザではない場合に、設定時間以内にデータ受送信されないと、前記ユーザ装置の接続リソースを解放するように処理する処理モジュール13と、を備える。
【００４７】
好ましくは、前記処理モジュール13は、前記クラスタユーザに関する情報が第一の識別子である場合、前記ユーザ装置がクラスタユーザであることを認定し、前記クラスタユーザに関する情報が第二の識別子である場合、前記ユーザ装置がクラスタユーザではないことを認定する。
【００４８】
好ましくは、本発明の実施例において、前記リクエストメッセージは、無線リソース制御RRC接続リクエストメッセージと、セル更新リクエストメッセージを含む。
以上のように、本発明の実施例において、無線アクセス装置がRRC接続リクエストメッセージ或いはセル更新リクエストメッセージからUEのクラスタID（すなわちUEがクラスタユーザであるかどうか分かる）を認定できるから、UEのクラスタIDに基づいて無線リソースの割り当ておよびユーザ管理手段の計画することができる。
【００４９】
なお、本発明のデバイスの各モジュールは一体化にしてもよいが、独自で配置されてもよい。上記モジュールは１つのモジュールに集積してもよいが、さらに複数のモジュールを分割してもよい。
【００５０】
＜実施例五＞
上記方法と同じ発想に従って、本発明の実施例はさらにユーザ装置を提供している。図６に示すように、当該ユーザ装置は、
自身がクラスタユーザであるか否かを認定する認定モジュール21と、
自身がクラスタユーザであるか否かとの情報を含んだリクエストメッセージを無線アクセス装置に送信する送信モジュール22と、を備える。
【００５１】
好ましくは、本発明の実施例において、前記クラスタユーザに関する情報が第一の識別子である場合、前記ユーザ装置はクラスタユーザであることを示し、前記クラスタユーザに関する情報が第二の識別子である場合、前記ユーザ装置はクラスタユーザではないことを示す。
【００５２】
好ましくは、本発明の実施例において、前記リクエストメッセージは、無線リソース制御RRC接続リクエストメッセージと、セル更新リクエストメッセージを含む。
【００５３】
以上のように、本発明の実施例において、無線アクセス装置がRRC接続リクエストメッセージ或いはセル更新リクエストメッセージからUEのクラスタID（すなわちUEがクラスタユーザであるかどうかことを分かる）を認定することができるため、UEのクラスタIDに基づいて無線リソースの割り当ておよびユーザ管理手段の計画をすることができる。
【００５４】
なお、本発明のデバイスの各モジュールは一体化してもよいが、独自で配置されてもよい。上記モジュールは１つのモジュールに集積してもよいが、さらに複数のモジュールに分割してもよい。
【００５５】
上記実施形態の記述により、本発明はソフトウェアと必要な共通ハードウェアとの両者を組み合わせて実現できることは、当業者として自明なことであるから、言うまでもない。ハードウェアで実現する可能性があるが、上記したものは好ましい場合が多い。以上の認識によれば、本発明の技術案は実際に或いは従来技術に対し特許性がある部分をハードウェアで表すことができる。当該ソフトウェア製品は記憶媒体に記憶され、またコンピュータデバイス（PC、サーバ、或いはネットワークデバイス等）が本発明の各実施例に記載された方法を実行するように幾つかのコマンドも含まれていてもよい。
【００５６】
本願の図面はあくまでも好ましい実施例の模式図であり、添付図面におけるモジュール或いはフローチャートは必ずしも本発明を実施する要件にならないことが、当業者にとっても自明である。
【００５７】
実施例におけるデバイスのモジュールは実施例の記述のように実施例の各デバイスに分散されてもよいが、相応的に変更して本実施例と異なる一つ又は幾つかの装置に分散されても良い。上記実施例のモジュールが１つのモジュールに集積してもよいが、さらに複数のモジュールに分割してもよい。
上記の本発明の実施例番号は説明を容易にするために使っているが、実施例の優劣を示していない。
【００５８】
以上記載されたものは本発明の幾つかの具体的な実施例であるが、本発明は係る実施例に限定されるものではなく、本発明の範囲内にて他の種々の実施形態が可能であることは当業者にとって明らかである。
【図１】
0005855767.tif 000002
【図２】
0005855767.tif 000003
【図３】
0005855767.tif 000004
【図４】
0005855767.tif 000005
【図５】
0005855767.tif 000006
【図６】
0005855767.tif 000007